(57)【要約】【課題】本発明は、撮像装置に関するもので、撮像装置を小型化することを目的とするものである。【解決手段】そしてこの目的を達成するために本発明は、レンズと、このレンズの後方に配置した撮像素子と、前記レンズの前方に配置したレンズカバーユニット２と、を備え、このレンズカバーユニット２は、レンズ外方に配置した枠体１０、１１、１２と、この枠体内において、出没自在に設けた羽体４を設け、この羽体は、レンズの前方における前後方向に設けた前方側羽体４ｂと、後方側羽体４ａにより構成され、これらの前方側羽体４ｂと後方側羽体４ａは、１つの回動軸２８に軸支され、前記後方側羽体４ａは、前記回動軸２８の根元にまで達する軸筒３４を有し、前記前方側羽体４ｂは、前記軸筒３４の外周を回動する構成とした。【選択図】図５
2010151875.tif 000002
【特許請求の範囲】
【請求項１】
レンズと、このレンズの後方に配置した撮像素子と、
前記レンズの前方に配置したレンズカバーユニットと、を備え、
このレンズカバーユニットは、レンズ外方に配置した枠体と、
この枠体内において、出没自在に設けた羽体を設け、
この羽体は、レンズの前方における前後方向に設けた前方側羽体と、
後方側羽体により構成され、
これらの前方側羽体と後方側羽体は、１つの回動軸に軸支され、
前記後方側羽体は、前記回動軸の根元にまで達する軸筒を有し、
前記前方側羽体は、前記軸筒の外周を回動する構成とした撮像装置。
【発明の詳細な説明】
【技術分野】
【０００１】
本発明は、たとえば、ビデオカメラやデジタルカメラのような撮像装置に関するものである。
【背景技術】
【０００２】
従来のこの撮像装置の構成は、以下のような構成となっていた。
【０００３】
すなわち、レンズと、このレンズの後方に配置した撮像素子と、前記レンズの前方に配置したレンズカバーユニットと、を備え、このレンズカバーユニットは、レンズ外方に配置した枠体と、この枠体内において、出没自在に設けたレンズカバーを設け、このレンズカバーは、レンズの前方における前後方向に設けた前方側レンズカバーと、後方側レンズカバーにより構成され、これらレンズカバーの外縁にはガイドを有し、前記枠体には、このガイドに当接するガイドレールを備えていた。
【０００４】
また、このような撮像装置を小型化するために、レンズカバー部（シャッター部）を開閉する開閉駆動部をレンズ鏡筒の径方向外側に配置したものがある。（例えば下記特許文献１）。
【特許文献１】特開２００５−３７８６６号公報
【発明の開示】
【発明が解決しようとする課題】
【０００５】
前記従来例における課題は、撮像装置が大きくなってしまうということであった。
【０００６】
すなわち上記従来例においては、開閉駆動自在であるレンズカバーを撮像装置に取り付けるためには、レンズ方向に対して適切な剛性を取るためにレンズカバー及び枠体にガイド及びガイドレールが必要になり、そのため、レンズの径方向に対して撮像装置が大きくなってしまうのであった。
【０００７】
そこで本発明は、撮像装置を小型化することを目的とするものである。
【課題を解決するための手段】
【０００８】
そしてこの目的を達成するために本発明は、レンズと、このレンズの後方に配置した撮像素子と、前記レンズの前方に配置したレンズカバーユニットと、を備え、このレンズカバーユニットは、レンズ外方に配置した枠体と、この枠体内において、出没自在に設けた羽体を設け、この羽体は、レンズの前方における前後方向に設けた前方側羽体と、後方側羽体により構成され、これらの前方側羽体と後方側羽体は、１つの回動軸に軸支され、前記後方側羽体は、前記回動軸の根元にまで達する軸筒を有し、前記前方側羽体は、前記軸筒の外周を回動する構成とした。
【０００９】
これにより所期の目的を達成するものである。
【発明の効果】
【００１０】
以上のように本発明は、レンズと、このレンズの後方に配置した撮像素子と、前記レンズの前方に配置したレンズカバーユニットと、を備え、このレンズカバーユニットは、レンズ外方に配置した枠体と、この枠体内において、出没自在に設けた羽体を設け、この羽体は、レンズの前方における前後方向に設けた前方側羽体と、後方側羽体により構成され、これらの前方側羽体と後方側羽体は、１つの回動軸に軸支され、前記後方側羽体は、前記回動軸の根元にまで達する軸筒を有し、前記前方側羽体は、前記軸筒の外周を回動する構成としたものであるので、撮像装置の小型化ができるものである。
【００１１】
すなわち本発明においては、レンズカバーのレンズ方向に対して適切な剛性を取るために、レンズカバーの回転軸に軸筒を付けて剛性を取るようにしたものであるので、レンズの径方向に対して小型化ができるものとなる。
【発明を実施するための最良の形態】
【００１２】
以下、本発明の一実施形態を、撮像装置の一例としてビデオカメラに適用した物を、添付図面を用いて説明する。
（実施の形態１）
図１（ａ）において、本体ケース１の前方には、レンズカバーユニット２が設けられ、このレンズカバーユニット２には、集光窓３と、レンズカバー４と、操作体１３を備えていて、この集光窓３は、操作体１３のツマミ５をスライドさせることでレンズカバー４により開閉が自在となるように構成されている。このレンズカバー４の後方には、図示していないがレンズが配置されていて、レンズカバー４によって保護される。
【００１３】
また、本体ケース１の後方には、覗き窓６や、操作スイッチ７などが設けられ、さらに、図１（ｂ）に示すように、右側の側面には、表示装置８が設けられ、左側の側面には、ホルダ９が設けられている。
【００１４】
また、図１（ａ）に示すように、前記本体ケース１の集光窓３から覗き窓６の間には、レンズ群が、それぞれ所定間隔離れた状態で配置されており、そのレンズ群の後方、すなわち覗き窓６側には図示していないが、レンズ撮影した信号を取り込む撮像素子が配置されている。
【００１５】
図２にレンズカバーユニット２の分解斜視図を示す。
【００１６】
まず、このレンズカバーユニット２の各構成要素とその機能について説明をする。
【００１７】
このレンズカバーユニット２は、レンズ外方に配置した枠体として、集光窓３を有する前面パネル１０と、レンズリング１１と、後面パネルユニット１２を有しており、これら枠体内において、羽状の第１のレンズカバー４ａと、第２のレンズカバー４ｂが、枠体内に設けられた集光窓３に対して開閉自在になるように設けられている。さらにこの図２に示すように、レンズリング１１の右側面にレンズカバー４ａ、４ｂの開閉操作を行うための操作体１３を有しており、この操作体１３上にあるツマミ５を上方、下方にスライドさせてレンズカバー４ａ、４ｂの開閉操作を行う。
【００１８】
後面パネルユニット１２に配置された回転体２４は、操作体１３の内側の突起（図４の３３）に当接し、レンズカバー４ａ、４ｂの開閉操作を安定してロックする機能を有している。
【００１９】
次に、レンズカバーユニット２の各構成要素の作用について図２を用いて説明をする。
【００２０】
前面パネル１０は、レンズリング１１に対して、その前方より連結されている。この前面パネル１０の後方面の右下方に設けたピン１４に、第２のレンズカバー４ｂの貫通孔１６が挿入され、次に第１のレンズカバー４ａの貫通孔１５が挿入される。つまり、前方側に第２のレンズカバー４ｂ、後方側に第１のレンズカバー４ａが取り付けられる。
【００２１】
操作体１３は、前面パネル１０の枠ぶち外側とレンズリングの枠ぶち内側との間に挟持されており、操作体１３のピン１７と第１のレンズカバー４ａのピン１８は、レンズカバーバネ１９で連結、付勢されており、操作体１３をスライド動作させると、操作体１３に連結、付勢されたレンズカバー４ａがまず動作し、閉じられる場合には、第１のレンズカバー４ａの凹部２０に第２のレンズカバー４ｂの凸部２１が係合し、これらレンズカバー４ａ、４ｂが閉じられ、開かれる場合には、第１のレンズカバー４ａのフック２２が第２のレンズカバー４ｂのピン２３に係合し、これらレンズカバー４ａ、４ｂが開かれることになる。
【００２２】
後面パネルユニット１２の前面側の左上方には、回転体２４が挿入され、この回転体２４の回転軸には、付勢体の一例として用いたコイルバネ２５の一端が挿入されており、このコイルバネ２５は、後面パネルユニット１２の前面側に挿入されている。
【００２３】
この後面パネルユニット１２は、これらレンズカバー４ａ、４ｂを後方より挟持するようにレンズリング１１と前面パネル１０にネジ止めされている。
【００２４】
次に前記回転体２４について、さらに詳細に説明をする。
【００２５】
図３に後面パネル１２の前面側から見た構成図を示す。
【００２６】
図３（ａ）は、後面パネル１２の斜視図を示しており、図３（ｂ）には後面パネル１２の分解斜視図を示すが、回転体２４は、円柱形状をしており、挿入部２６と、当接部２７を有しており、この当接部２７の円柱部分の径は、挿入部２６の円柱部分の径よりも大きくなっている。また、貫通孔２８にそって回転軸を有しており、この貫通孔２８にコイルバネ２５の一端２９が挿入される。回転体２４の挿入部２６は、後面パネル１２の挿入口３０に挿入され、付勢体２５は、後面パネル１２のピン３１に挿入され、付勢体（コイルバネ）２５の他端３２は、後面パネル１２の後方面において係止される。
【００２７】
図３（ｃ）には、後面パネル１２を前方から見た図を示しており、回転体２４は後面パネル１２の半径方向にスライド動作可能となり、更に付勢体（コイルバネ）２５によって後面パネル１２の半径方向の外側に向けて付勢され、また貫通孔２８に対して回転可能となる。
【００２８】
図３（ｄ）には、回転体２４は後面パネル１２の半径方向内側にスライドした場合の図を示す。
【００２９】
次に、レンズカバーの開閉動作についての詳細な説明をする。
【００３０】
図４にレンズカバーユニット２を後方側から見た図を示す。図４（ａ）は、操作体１３の出没切り替え突起３３と、その位置関係について説明するための図である。出没切り替え突起３３を見やすくするために、回転体２４とコイルバネ２５は外している。図に示すように、操作体１３の内側には切り替え突起３３を有している。
【００３１】
図４（ｂ）には、レンズカバーが閉じた状態での図を示す。レンズカバーが閉じた状態では、出没切り替え突起３３（Ａ枠内）は、レンズカバーユニット２を後方側から見た場合には、回転体２４に対して、時計回りに回転した位置にある。この閉じた状態においては、操作体１３は時計回り方向にスライドした状態にあり、操作体１３の下端に位置するピン１７も同様に時計回り方向に進んだ位置にあるので、レンズカバーバネ１９は伸びた状態にあり、縮む方向にバネ力が働くことになる。
【００３２】
このバネ力は、第１のレンズカバー４ａのピン１８に対してレンズカバー４ａを閉じようとする力となって働き、この第１のレンズカバー４ａのフック２２は、第２のレンズカバー４ｂのピン２３に対して閉じる方向に係合しているために、これらレンズカバー４ａ、４ｂは閉じた状態になる。また、このバネ力は操作体１３には、反時計方向にスライドしようとする力となって働く。しかしながら、操作体１３の切り替え突起３３は回転体２４に止められた状態になっているので、結果、レンズカバー４ａ、４ｂは閉じた状態で固定（ロック）されることになる。
【００３３】
このレンズカバー４ａ、４ｂが閉じた状態から、開いた状態にするには、使用者が指で操作体１３のツマミ５に力を加えて半時計方向にスライドさせることによって行うことができる。使用者が指等でツマミ５に対して半時計方向に力を加えることによって、出没切り替え突起３３が回転体２４の当接部２７に接しながら移動し、回転体２４は、回転しながら内側に向かってスライドしていく。出没切り替え突起３３は、回転体２４を乗り越えて、その半時計回り方向の位置まで移動する。
【００３４】
図４（ｃ）にレンズカバーが開いた状態での図を示す。
【００３５】
この開いた状態においては、操作体１３は反時計回り方向にスライドした状態にあり、操作体１３の下端に位置するピン１７も同様に反時計回り方向に進んだ位置にあるので、レンズカバーバネ１９は縮んだ状態にある。
【００３６】
第１のレンズカバー４ａの凹部２０は、第２のレンズカバー４ｂの凸部２１に対して開く方向に係合しているために、これらレンズカバー４ａ、４ｂは開いた状態になる。第２のレンズカバー４ｂの開く方向にはストッパー３４があるために、このストッパー３４以上には開くことはできない。また、操作体１３の出没切り替え突起３３は回転体２４に止められた状態になっているので、結果、レンズカバー４ａ、４ｂは開いた状態で固定（ロック）されることになる。
【００３７】
上述したように、レンズカバー４ａ、４ｂの開閉動作は、操作体１３の出没切り替え突起３３に、回転体２４を当接させて行うために、当接する箇所が回転によって変わるために、部材の局部的な磨耗を防止することができ、その結果、レンズ保護のカバーの開閉駆動の安定性を向上することができるものとなる。
【００３８】
また、回転体２４は、円柱形状であり、回転体２４は、当接部２７と挿入部２６をもち、当接部２７の円柱の径を挿入部の円柱の径より大きくしているので、操作体１３の出没切り替え突起３３と当接部２７の間に発生する慣性モーメントが、挿入部２６に発生する逆方向の慣性モーメントより大きくなるために、開閉動作時に回転体２４をより回転させる力が加わることになり、その結果、当接する箇所が回転によって変わるために、部材の局部的な磨耗をより防止することができ、その結果、レンズ保護のカバーの開閉駆動の安定性を向上することができるものとなる。
【００３９】
また、回転体２４の回転軸となった貫通孔２８には、付勢体の一例として用いたコイルバネ２５の一部２９を挿入したものとしており、この付勢体をコイルバネ２５にすることにより、板バネ等と比較して、より弾性特性に対しての耐久性を向上できることになり、その結果、レンズ保護のカバーの開閉駆動の安定性を向上することができるものとなる。
【００４０】
さらには、付勢体２５は、回転体２４を介して、操作体１３の出没切り替え突起３３に当接するので、付勢体として用いたコイルバネ２５自体の磨耗、へたりを防止することが可能である。
【００４１】
以下に本実施形態における最も大きな特徴について説明をする。
【００４２】
図５に、第１、第２のレンズカバー４ａ、４ｂの回動軸２８の断面図（図４（ａ）におけるＡ−Ａ’断面図）を示す。比較のために、図５（ａ）に比較例を挙げているが、本発明の実施形態における最大の特徴は、図５（ｂ）に示すごとく、第１のレンズカバー４ａと第２のレンズカバー４ｂは、１つの回動軸２８に軸支され、第１のレンズカバー４ａは、回動軸２８の根元にまで達する軸筒３４を有し、第２のレンズカバー４ｂは、軸筒３４の外周を回動する構成としたことである。
【００４３】
そしてこのような構成にすることで、第１、第２のレンズカバー４ａ、４ｂのレンズ方向に対する適切な剛性を取ることができ、このため従来剛性確保のため用いていた、レンズカバー及び枠体にガイド及びガイドレールが必要でなくなり、その結果としてレンズの径方向に対して小型化ができるものである。この結果、撮像装置の小型化が可能となる。
【産業上の利用可能性】
【００４４】
以上のように本発明は、レンズと、このレンズの後方に配置した撮像素子と、前記レンズの前方に配置したレンズカバーユニットと、を備え、このレンズカバーユニットは、レンズ外方に配置した枠体と、この枠体内において、出没自在に設けた羽体を設け、この羽体は、レンズの前方における前後方向に設けた前方側羽体と、後方側羽体により構成され、これらの前方側羽体と後方側羽体は、１つの回動軸に軸支され、前記後方側羽体は、前記回動軸の根元にまで達する軸筒を有し、前記前方側羽体は、前記軸筒の外周を回動する構成としたものであるので、撮像装置の小型化ができるものである。
【００４５】
すなわち本発明においては、レンズカバーのレンズ方向に対して適切な剛性を取るために、レンズカバーの回転軸に軸筒を付けて剛性を取るようにしたものであるので、レンズの径方向に対して小型化ができるものとなる。
【００４６】
したがって、小型化が求められる撮像装置への適用が大いに期待されるものである。
【図面の簡単な説明】
【００４７】
【図１】本発明の一実施形態を示す斜視図
【図２】レンズカバーユニットの分解斜視図
【図３】（ａ）後面ユニットの斜視図（ｂ）後面ユニットの分解斜視図（ｃ）後面ユニットを前面から見た図（ｄ）後面ユニットを前面から見た図
【図４】（ａ）レンズカバーユニットの開閉動作説明図（ｂ）レンズカバーユニットの開閉動作説明図（閉じた場合）（ｃ）レンズカバーユニットの開閉動作説明図（開いた場合）
【図５】（ａ）レンズカバーの回動軸のＡ−Ａ’断面図（比較例）（ｂ）レンズカバーの回動軸のＡ−Ａ’断面図（本実施形態）
【符号の説明】
【００４８】
１  本体ケース
２  レンズカバーユニット
３  集光窓
４  レンズカバー
４ａ  第１のレンズカバー
４ｂ  第２のレンズカバー
５  ツマミ
６  覗き窓
７  操作スイッチ
８  表示装置
９  ホルダ
１０  前面パネル
１１  レンズリング
１２  後面パネルユニット
１３  操作体
１４  ピン
１５  貫通孔
１６  貫通孔
１７  ピン
１８  ピン
１９  レンズカバーバネ
２０  凹部
２１  凸部
２２  フック
２３  ピン
２４  回転体
２５  付勢体（コイルバネ）
２６  挿入部
２７  当接部
２８  貫通孔
２９  付勢体（コイルバネ）の一端
３０  挿入口
３１  ピン
３２  付勢体（コイルバネ）の他端
３３  出没切り替え突起
３４  軸筒
【図２】
2010151875.tif 000003
【図３】
2010151875.tif 000004
【図４】
2010151875.tif 000005
【図５】
2010151875.tif 000006
【図１】
2010151875.tif 000007